(57)【要約】【課題】広範なチリ寸法に対応できる閉扉センサー装置を得ること。【解決手段】戸枠側に固定的に設けられた箱型支持部材に、磁性の可動トリガーと該可動トリガーの突起部分がフロントカバーの開口部から突出するように常時付勢する弾性体とを備え、一方、戸枠の開口を開閉する開閉体側に固定的に設けられた錠箱に前記可動トリガーの突起部分の磁力を感知する検知手段を備え、前記可動トリガーは、閉扉時、開閉体のチリ寸法に対応してかつ弾性体の弾性力に抗して支持部材内に後退変位することを特徴とする閉扉センサー装置。【選択図】図２
2008095371.tif 000002
【特許請求の範囲】
【請求項１】
戸枠側に固定的に設けられた箱型支持部材に、磁性の可動トリガーと該可動トリガーの突起部分がフロントカバーの開口部から突出するように常時付勢する弾性体とを備え、一方、戸枠の開口を開閉する開閉体側に固定的に設けられた錠箱に前記可動トリガーの突起部分の磁力を感知する検知手段を備え、前記可動トリガーは、閉扉時、開閉体のチリ寸法に対応してかつ弾性体の弾性力に抗して支持部材内に後退変位することを特徴とする閉扉センサー装置。
【請求項２】
請求項１に於いて、可動トリガーは、支持部材の支持箱に直接又は間接的に案内されると共にチリの最大値にフロントカバーの内壁面に圧接するフランジ部分とフロントカバーの開口部から突出する突起部分とを有し、前記突起部分が少なくとも磁性体であることを特徴とする閉扉センサー装置。
【請求項３】
請求項１に於いて、支持部材の支持箱には、可動トリガーの係合部と係合する水平案内手段が設けられていることを特徴とする閉扉センサー装置。
【請求項４】
戸枠側に固定的に設けられた箱型支持部材に、磁性の可動トリガーと該可動トリガーの突起部分がフロントカバーの開口部から突出するように常時付勢する弾性体とを備え、一方、戸枠の開口を開閉する開閉体側の戸先に前記可動トリガーの突起部分の磁力を感知する検知手段を設け、前記可動トリガーは、閉扉時、開閉体のチリ寸法に対応してかつ弾性体の弾性力に抗して支持部材内に後退変位することを特徴とする閉扉センサー装置。
【請求項５】
請求項４に於いて、検知手段は錠箱内の制御部に配線を介して接続していることを特徴とする閉扉センサー装置。
【発明の詳細な説明】
【技術分野】
【０００１】
本発明は、戸枠に設けられた開閉体の閉扉信号を拾う閉扉センサー装置に関する。
【背景技術】
【０００２】
例えば特許文献１には「戸枠側の受け金具内に固定磁石を設け、一方、扉側の錠箱内に先端部に磁石を有するラッチボルト及びラッチボルト用弾性体を設け、閉扉時、ラッチボルトが前記固定磁石の極性に対応して吸引され、かつ、弾性体のバネ力に抗して受け金具に係入する事項」が記載されている。この特許文献１に記載の実施例は、開き扉タイプの開閉体に於いて、閉扉時の「コト」といったように衝撃音の発生を無くすることである。
【０００３】
また、特許文献２には「戸枠側の支持箱内に可動電極部材及び可動電極部材復帰用弾性体を設け、一方、引戸の上框に固定電極部材を設け、引戸の閉戸時、前記固定電極部材に可動電極部材を吸着することによって通電状態にする事項」が記載されている。特許文献２に記載の実施例は、通電を目的としている。
【０００４】
このように、従来、建具の開閉体に於いて、戸枠側のケース内に固定磁石や可動磁石を設ける事項は公知である。しかしながら、特許文献１も特許文献２も、「チリ寸法に対応して開閉体の閉扉信号を拾うもの」ではない。
【０００５】
なお、特許文献３は、電気錠を構成する主な部材と共に、錠箱内に単数又は複数個のスイッチを備えた駆動用制御部を設ける事項が記載されているが、該駆動用制御部は、戸枠側に設けたトリガーとの接触関係で開閉体の閉扉信号を拾うものではない。また、特許文献３にはデッドボルトを後退動する機構の一例が記載されている。
【特許文献１】特許公開平８−２１０００１号公報
【特許文献２】特開平１１−２６１１６号公報
【特許文献３】特開２００５−２８２３０２号公報
【発明の開示】
【発明が解決しようとする課題】
【０００６】
本発明の所期の目的は、広範なチリ寸法に対応できる閉扉センサー装置を得ること。特にチリ寸法が大きい場合であっても、確実に閉扉信号を拾うことができることである。第２の目的は、厳格にチリ寸法（例えば６ｍｍ以内）に拘らないで、開閉体を、いわゆる「アバウト感覚」で戸枠に取付けることができることである。第３の目的は、極力、構成する部品を少なくし、組み合わせや製作の容易化を図ることである。
【課題を解決するための手段】
【０００７】
本発明の閉扉センサー装置は、戸枠側に固定的に設けられた箱型支持部材に、磁性の可動トリガーと該可動トリガーの突起部分がフロントカバーの開口部から突出するように常時付勢する弾性体とを備え、一方、戸枠の開口を開閉する開閉体側に固定的に設けられた錠箱に前記可動トリガーの突起部分の磁力を感知する検知手段を備え、前記可動トリガーは、閉扉時、開閉体のチリ寸法に対応してかつ弾性体の弾性力に抗して支持部材内に後退変位することを特徴とする。
【０００８】
また、本発明の閉扉センサー装置は、戸枠側に固定的に設けられた箱型支持部材に、磁性の可動トリガーと該可動トリガーの突起部分がフロントカバーの開口部から突出するように常時付勢する弾性体とを備え、一方、戸枠の開口を開閉する開閉体側の戸先に前記可動トリガーの突起部分の磁力を感知する検知手段を設け、前記可動トリガーは、閉扉時、開閉体のチリ寸法に対応してかつ弾性体の弾性力に抗して支持部材内に後退変位することを特徴とする。
【発明の効果】
【０００９】
（ａ）広範なチリ寸法に対応できる閉扉センサー装置を得ることができる。特に支持部材の開口部から突出する突起部分は磁性体であることから、チリ寸法が大きい場合であっても、確実に閉扉信号を拾うことができる。
（ｂ）厳格にチリ寸法（例えば６ｍｍ以内）に拘らないで、開閉体を、いわゆる「アバウト感覚」で戸枠に取付けることができる。
（ｃ）構成する部品を少なくし、組み合わせや製作の容易化を図ることができる。
【発明を実施するための最良の形態】
【００１０】
以下、図１乃至図４に示す本発明を実施するための最良の形態（第1実施例）により説明する。
【００１１】
（１）戸枠と箱型支持部材
１は、例えば建物の開口を形成する戸枠、２は戸枠１の縦枠内に取り付けられる箱型支持部材である。戸枠１は不動産（建物）のものであるか、動産（船舶）のものであるかを問わない。要は開閉体（開き戸や引戸）用の戸枠１であれば良い。
【００１２】
まず、箱型支持部材２は、支持箱２Ａと、該支持箱２Ａの前面に不番の固着具を介して一体的に固定されるフロントカバー２Ｂとから成る。しかして、前記支持箱２Ａは、凹部３を有するケース部分２ａと、このケース部分２ａの開口端から外方向へそれぞれ折り曲げ形成された上下の端板部分２ｂ、２ｂとを有する。
【００１３】
そして、前記ケース部分２ａの左右側壁の下端部寄りの部位と上端部寄りの部位にはそれぞれ水平案内手段（例えばスリット状切欠）４が形成されている。水平案内手段４のスリット状切欠は一例であり、突起状のガイドレールであっても良い。また、ケース部分２ａの奥の垂直底壁の内面中央部には小突起状のバネ端支持部５が設けられている。
【００１４】
一方、支持箱２Ａの端板部分２ｂ、２ｂの前面に接合するフロントカバー２Ｂは、矩形状の開口部７と、上下の端部にそれぞれ形成された固着具用の取付け孔８を有している。フロントカバー２Ｂの開口部７の左右・上下の幅は、支持箱２Ａの凹部３の開口幅よりも小さいが、後述する可動トリガーがスムースに突出することができるように適宜の大きさに設定されている。
【００１５】
（２）可動トリガーと弾性体
次に、箱型支持部材２には、可動トリガー１１と、該可動トリガーを常時付勢する弾性体１２が組み込まれている。可動トリガー１１は、磁性体（例えばフェライト）であり、その突起部分がフロントカバー２Ｂの開口部から突出するように弾性体（例えばコイルバネ）１２のバネ力により常時付勢されている。
【００１６】
図２で示すように、本実施例の可動トリガー１１は、支持部材２の支持箱に直接（本実施例）又は間接的に（たとえば案内レールを介して）案内されると共にチリの最大値（例えば６ｍｍ）にフロントカバー２Ｂの内壁面に圧接する板状のフランジ部分１１ａと、フロントカバー２Ｂの開口部７から突出する突起部分１１ｂとを有し、前記突起部分１１ｂが少なくとも磁性体である。もちろん、可動トリガー１１のフランジ部分１１ａも磁石にしても良い。
【００１７】
しかして、前記フランジ部分１１ａの左右の側壁には、支持箱２Ａの水平案内手段４と係合する上下の係合突起１３が設けられている。また、可動トリガー１１の背面中央部には、不番のバネ端支持部（例えば凹所）が形成されている。なお、可動トリガー１１の突起部分１１ｂの形態は、開閉体が開き扉の場合を考慮して平面視指先状に形成している。
【００１８】
（３）開閉体側
１５は戸枠１の開口に設けられた開閉体（開き戸や引戸）である。開閉体１５が開き扉の場合には、周知のように基端部は上下の蝶番を介して戸枠の縦枠に開閉自在に取り付けられる。また、開閉体１５が引戸の場合には、その戸先が支持部材２のフロントカバー２Ｂの前面に当接可能である。例えば出願人が製造販売する外出確認用の電気錠には、開き扉タイプと引戸タイプの２種類がある。開き扉タイプは、取り付け如何によって、開閉体１５の自由端部の端面と戸枠１の縦枠（或いは支持部材２のフロントカバー２Ｂの前面）との間に数ミリ（例えば３ｍｍ、４ｍｍ、５ｍｍ、６ｍｍなど）のチリが発生する。また、引戸タイプの場合は、鎌片の係合態様によって、戸先と戸枠１との間に同様に６ｍｍ以内のチリが発生する。
【００１９】
図１は、箱型支持部材２の相手の開閉体１５が、引戸の場合であって、かつ、錠前が電気錠の一例である。図１に示した電気錠は、錠箱１６内に、検知手段１７と、該検知手段１７の信号を取得する駆動用制御部１８とを備えている。検知手段１７は、閉扉時、可動トリガー１１の磁力を感知することができるように錠箱１６を構成するフロント１９の裏側に支持片２０を介して固定的に配設されている。検知手段１７の一例としては、ホールＩＣが採用されている。もちろん、検知手段１７はこれに限定されるものではなく、リードスイッチ、その他の磁気感応型センサーを用いることができる。  
【００２０】
この検知手段１７は、配線２１を介してプリント基板を有する制駆動用制御部１８に電気的に接続している。制駆動用制御部１８は、駆動源（例えばマイクロモータ）２２に駆動信号（電圧印加）を与え、駆動源２２の駆動力は、動力伝達手段（例えば歯車、クラッチ機構、駆動杆）２３を介してダルマ２４に伝えられる。周知のように、ダルマ２４が時計又は反時計方向へ所要量回転すると、例えば鎌片２５を備えたデッドボルト２６が進退動する。そして、施錠時、デッドボルト２６に連動する鎌片２５は、戸枠１に設けられた受け金具２７のストライクに係合する。
【００２１】
（４）作用
図３は、開閉体１の戸先（例えばフロント１９の裏側）に設けた検知手段１７が、チリ寸法が大きい場合（例えば６ｍｍ）に対応し、一方、図４は前記検知手段１７が、チリ寸法が小さい場合（例えば１ｍｍ）に対応する場合をそれぞれ示す。図３で示すように、閉扉時、チリ寸法が大きい場合、可動トリガー１１は、開閉体１５の当該チリ寸法に対応して、支持箱２Ａ内の弾性体１２の弾性力により、そのフランジ部分がフロントカバーの内壁面に圧接する位置まで前進する。したがって、可動トリガー１１の突起部分１１ｂはフロントカバー２Ｂの開口部７から突出する。この時チリ寸法が最大値（例えば６ｍｍ）よりも大きい場合（例えば８ｍｍ）の場合であっても、突起部分１１ｂを中心とする磁場が形成されているので、検知手段１７は可動トリガー１１の磁力を確実に検出することができる。
【００２２】
また、図４で示すように、閉扉時、チリ寸法が小さい場合、可動トリガー１１は、その突起部分１１ｂの先端面が錠箱１６のフロント１９の前面に押されることになるから、開閉体１５の当該チリ寸法に対応して、支持箱２Ａ内の弾性体１２の弾性力に抗して後退変位する。前者及び後者のいずれの場合にも、検知手段１７は突起部分１１ｂから放出される磁力を感知する。そして、検知手段１７が拾った信号は、開閉体１の閉扉信号として制駆動用制御部１８に送られる。
【実施例】
【００２３】
発明の実施の形態で示した第１実施例に於いて、検知手段１７が可動トリガー１１の突起部分１１ｂの磁場を受け易くするために、フロント１９の適宜部位に小開口を形成しても良い。また、支持部材２に設けた水平案内手段４はスリット状の切欠４であるが、例えば可動トリガー１１のフランジ部分１１ａの左右部位を貫通する左右一対のガイドシャフト（棒状体）であっても良い。また、特に図示しないが、水平案内手段４は単数又は複数の筒状のガイド柱を有する枠状基台であっても良い。
【００２４】
ところで、第１実施例では、可動トリガー１１の突起部分１１ｂの磁力を感知する検知手段１７を錠箱１６に設けたが、図５で示すように錠箱１６以外に設けても良い。ここでは図５に示した閉扉センサー装置を便宜上第２実施例とし、第1実施例と同一の符号を付して重複説明を割愛する。
【００２５】
この第２実施例でも、第１実施例と同様に、戸枠1の上部、下部、錠箱付近等の横向き凹所に箱型支持部材２を固定的に取付け、該箱型支持部材２に磁性の可動トリガー１１と、該可動トリガーの突起部分１１ｂがフロントカバー２Ｂの開口部７から突出するように常時付勢する弾性体１２とを設けている。
【００２６】
一方、開閉体１５は、例えば引戸であり、該引戸１５の戸先の錠箱付近（実施例）に前記可動トリガー１１の突起部分１１ｂの磁力を感知する検知手段１７を設けている。
【００２７】
したがって、開閉体１５側の検知手段１７は、戸枠1の箱型支持部材２の取付け位置に対応するように引戸１５の戸先の適宜部位（上部、下部、錠箱近傍、錠箱寄りの部位など）に取付けられている。なお、第２実施例の検知手段１７は、例えば錠箱１６に内装した駆動用制御部１８に配線２１を介して電気的に接続されている。
【００２８】
このように構成しても、可動トリガー１１は、閉扉時、開閉体１５のチリ寸法に対応してかつ弾性体１２の弾性力に抗して箱型支持部材２内に後退変位する点は同様である。
【００２９】
なお、本発明は、「閉扉センサー装置」であることから、本発明の主要部をそのまま含み、かつ、報知手段（視覚や聴覚に訴える器具）を加味した閉扉確認システムは、利用発明に相当ものと言える。
【産業上の利用可能性】
【００３０】
本発明は、主に錠前、建具等業界で利用される。
【図面の簡単な説明】
【００３１】
図１乃至図４は本発明の最良の実施例を示す各説明図。図５は本発明の第２実施例を示す説明図。
【図１】実施環境の一例を示す概略説明図。
【図２】主要部の分解斜視図。
【図３】チリ寸法が大きい場合の概略説明図。
【図４】チリ寸法が小さい場合の概略説明図。
【図５】本発明の第２実施例を示す実施環境の概略説明図。
【符号の説明】
【００３２】
1…戸枠、２…箱型支持部材、２Ａ…支持箱、２Ｂ…フロントカバー、３…凹部、４…水平案内手段、５…バネ端支持部、７…開口部、８…取付け孔、１１…可動トリガー、１１ａ…フランジ部分、１１ｂ…突起部分、１２…弾性体、１３…係合突起、１５…開閉体、１６…錠箱、１７…検知手段、１８…駆動用制御部、１９…フロント、２０…支持片、２１…配線、２２…駆動源、２３…動力伝達手段、２４…ダルマ、２５…鎌片、２６…デッドボルト、２７…受け金具。
【図１】
2008095371.tif 000003
【図２】
2008095371.tif 000004
【図３】
2008095371.tif 000005
【図４】
2008095371.tif 000006
【図５】
2008095371.tif 000007